(57)【要約】【課題】発光素子の寿命を延ばすとともに、放熱効果を向上させることができる、反射式照明システムおよびその放熱方法を提供する。【解決手段】本発明は、反射式照明システムであって、前記反射式照明システムは、座体（４２、４４、４５）と、発光ダイオード照明装置（４１）と、複数の放熱鰭片（４３）と、を含み、前記複数の発光素子（４１）は、座体（４２、４４、４５）の隣り合わせの両側に設置され、前記複数の放熱鰭片（４３）は、座体（４２、４４、４５）の下方に設置されている。【選択図】図４
2012129139.tif 000002
【特許請求の範囲】
【請求項１】
反射式照明システムであって、
座体と、
前記座体に設置された発光ダイオード照明装置と、
前記座体の下方に設置された複数の放熱鰭片と、を含むことを特徴とする反射式照明システム。
【請求項２】
前記発光ダイオード照明装置は、少なくとも一本の発光ダイオードライトバーと、ランプ台座と、少なくとも一枚の反射カバーと、を含み、
前記ランプ台座は、発光ダイオードライトバーを取り付けるためのものであり、前記座体で代替でき、
前記反射カバーは、前記ランプ台座の相対角度の位置に据付けられ、且つ前記反射カバーの内部表面にメッキ膜を施してあることを特徴とする、請求項１に記載の反射式照明システム。
【請求項３】
請求項１または２に記載の反射式照明システムの放熱方法であって、
発光素子を座体の上に取り付けるステップと、
前記座体の一側に複数の放熱鰭片を取り付けるステップと、
前記発光素子を起動するステップと、
前記座体上の放熱鰭片によって導熱を行うステップと、
室内エアコンの空気流通を利用して、前記座体に形成された隙間へ入れ、外へ流出する空気渦巻きの流れを生じさせるステップと、
前記空気渦巻きの流れを前記放熱鰭片に通過させることによって、放熱を行うステップと、を含むことを特徴とする反射式照明システムの放熱方法。
【発明の詳細な説明】
【技術分野】
【０００１】
本発明は、座体と、発光ダイオード照明装置及び複数の放熱鰭片と、を含む照明放熱装置に係り、特に複数の発光素子が座体の隣り合わせの両側に設置されるとともに、複数の放熱鰭片が座体の下方に設置される反射式照明システムおよびその放熱方法に関する。
【背景技術】
【０００２】
近年来、蛍光灯管照明は大量の電力を消耗し且つ高電圧起動操作が必要であり、又蛍光灯管内の水銀は地球環境に対する汚染のため環境保護者たちから非難され続けているため、光源指向性の高い発光ダイオード(Light-Emitting Diode, LED)を利用して照明器具の光源とすることは、益々照明業界の趨勢となりつつある。又照明器具は環境保護の議題のほかに、熱エネルギーの産出を減らことも、非常に重要な課題である。しかも照明器具から生じる熱エネルギーは、往々にしてクーラーの降温効果を低下させるので、省エネ・低炭素社会の重要テーマでもある。
【０００３】
従来、LED点光源を使って発光照明とする場合、よく見かける照明発光構造には２種類がある。図１は、直下式LED光源照明構造（２）の概略説明図であり、発光ダイオード（６）を直接照明構造の前に設置された拡散シート（８）によって拡散し、光線を直接散射させる。その目的はLEDの光線を均一にし、点光源による光線の不均衡及び眩さ（ゴースト現象）を消すためである。しかし、この様な設計では効果が限られており、且つ光の効果的な拡散には必要な距離が約75mm以上と比較的長い。
【０００４】
図２は、側面入射式LED光源照明構造（１０）の概略説明図であり、発光ダイオードライトバー（１４）を照明器具構造の左右両側に設置するか、又は上下・左右の四方から入射させ、中間部分に導光板（１６）を取付け、導光板（１６）の反射面に光学網点を施して、発光面を均一にする必要がある。しかし、この方法では発光効率が低下し、発光エネルギーを増加させるためには、もっと高いパワーが必要である。このため、より一層高い熱エネルギーが生じ、もっと多くのクーラーのエネルギーが消耗され、別の形で温室効果の形成を増長させることになる。
これによって分かるように、上述従来の方式には、尚幾多の欠点があり、よい設計とは言いがたく、改良がまたれていた。
【発明の概要】
【発明が解決しようとする課題】
【０００５】
本発明の目的は、反射式照明システムであって、照明器具、特に天井板に設置され発光ダイオードによって照明を行う照明放熱装置に運用でき、発光素子によって生じる熱エネルギーが放熱しにくい問題を解決し、放熱鰭片によって放熱を行い、且つ発光素子の寿命を増加し、座体に形成された側辺の隙間によって、外界の空気流動を利用し、側辺の隙間に入って流出する空気流動を形成し、且つ底座下方から渦巻いて流れ出し、放熱鰭片上の熱エネルギーを持ち去るようにした、反射式照明システムを提供することにある。
【０００６】
また、本発明の次の目的は、天井板に設置する照明施設の照明放熱装置に運用でき、且つ異なる造型構造及び付加された放熱鰭片によって放熱効果を増加できる反射式照明システムを提供することにある。
【課題を解決するための手段】
【０００７】
上述発明の目的を達成するため、本発明は、座体と、発光ダイオード照明装置及び複数の放熱鰭片と、を含む照明放熱装置を提供するもので、複数の発光素子は座体の隣り合わせの両側に設置され、複数の放熱鰭片は座体の下方に設置されている。
前記発光ダイオード照明装置は、少なくとも一個の発光ダイオードライトバーと、発光ダイオードライトバーを配置するためのランプ台座と、及びランプ台座の相対角度の位置に取り付けられた少なくとも一枚の反射カバーと、を含み、且つ前記反射カバー内部表面にはメッキ膜を施し、前記ランプ台座は座体で代替してもよい。
前記放熱を行う放熱方法は、下記のようなステップを含む。先ず発光素子を座体の上に取り付け、且つ前記座体のもう一方の側に複数の放熱鰭片を取り付けた上、前記発光素子を起動し、前記座体上の放熱鰭片によって導熱する。
【発明の効果】
【０００８】
本発明に係る反射式照明システムは、従来の技術に比べ、更に下記のような長所がある。
１．本発明は、異なる造型によって適用場所に応じて設置することが出来る。
２．本発明は、放熱鰭片によって余分の放熱を行うことが出来る。
３．本発明は、パワーの消耗を減らし、照明器具の使用寿命を増加することが出来る。
【図面の簡単な説明】
【０００９】
【図１】直下式LED光源照明の構造の概略説明図である。
【図２】側面入射式LED光源照明の構造の概略説明図である。
【図３】直下式LED光源照明及び側面入射式LED光源照明の実施図である。
【図４】本発明に係る装置の構築図である。
【図５】本発明に係る装置の据付図である。
【図６】本発明に係る装置の実作図である。
【図７】本発明の方法フローチャートである。
【図８】本発明の方法の概略説明図である。
【図９】本発明に係る反射式照明システムの実施例の斜視図である。
【図１０】本発明に係る反射式照明システムの実施例の側面概略説明図である。
【図１１】本発明に係る反射式照明システムの実施例の概略説明図である。
【発明を実施するための形態】
【００１０】
図４は、本発明のシステムの構築図である。同図に示すように、この反射式照明システムには３種類の構築座体を含む。座体は三角形底座４２と、梯形底座４４及び底座４５を含み、前記三角形底座４２の隣り合わせの両側に発光ダイオード照明装置４１を設置して、照明効果を提供する。前記三角形底座４２の下方に放熱鰭片４３を設置して、放熱効果を増加する。前記梯形底座４４の相対する両側に発光ダイオード照明装置４１を設置して、照明効果を提供する。前記梯形底座４４の下方に放熱鰭片４３を設置して、梯形底座４４全体の放熱を行う。前記底座４５は、二つの三角形頂点の相対によって漏斗形状を形成し、下方の三角形の隣り合わせの両側に発光ダイオード照明装置４１を設置して、照明効果を提供し、且つ底座４５の下方に放熱鰭片４３を設置して底座４５全体の放熱を行う。
【００１１】
図５は、本発明のシステムの据付図である。同図に示すように、３種類の異なる造型の底座を同一の槽体に据え付けた状態で説明する。三角形底座４２の発光ダイオード照明装置４１の光線は屈折板４６を経由して屈折光線で照明する。照明が進行するとき、三角形底座４２の下方に据え付けられた放熱鰭片４３は、三角形底座４２の熱エネルギーを吸収して放熱することが出来る。梯形底座４４の発光ダイオード照明装置４１の光線は屈折板４６を経由して屈折光線で照明する。照明が進行するとき、梯形底座４４の下方に据え付けられた放熱鰭片４３は、梯形底座４４の熱エネルギーを吸収して放熱することが出来る。底座４５の発光ダイオード照明装置４１の光線は屈折板４６を経由して屈折光線で照明する。照明が進行するとき、底座４５に据え付けられた放熱鰭片４３は、底座４５の熱エネルギーを吸収して放熱することが出来る。
【００１２】
図６は、本発明のシステムの実作図である。同図に示すように、三角形底座４２はアルミ押し出し方式で形成され、且つ下方に導熱性金属によって形成された放熱鰭片４３を設置する。一方、発光ダイオード照明装置４１は、多数の発光ダイオードを結合してなる細長い発光ライトバーであり、梯形底座４４は、アルミ押し出し方式で形成され、且つ下方に導熱性金属によって形成された放熱鰭片４３を設置してある。別の実施例における底座４５は、アルミ押し出し方式で形成され、且つ下方に導熱性金属によって形成された放熱鰭片４３を設置してある。
【００１３】
図７は本発明の方法フローチャートである。同図に示すように、下記のステップを含む。
Ｓ７１は発光ダイオード照明装置を座体の上に据付、接合方式で発光素子を座体に接触させるステップである。
Ｓ７２は座体の別の側に複数の放熱鰭片を取り付け、座体の放熱を行うステップである。
Ｓ７３は電気的に発光ダイオード照明装置を起動するステップである。
Ｓ７４は座体上の放熱鰭片によって導熱を行うステップである。
Ｓ７５は室内エアコンの空気流通を利用して、座体に形成された隙間へ入らせ、外へ流出する空気渦巻きの流れを生じさせるステップである。
Ｓ７６は空気渦巻きの流れによって放熱鰭片を経由して放熱を行うステップである。
【００１４】
本発明に係る光線照明は屈折方式で照射を行うので、発光素子によって生じる熱エネルギーは、大半が座体へ伝導され、更に放熱鰭片によって放熱され、発光素子の過熱を減らし、発光素子の寿命を増加する。そして、座体に設置形成された側辺の隙間によって、外界の空気流動を利用する。例えば、室内エアコンがもたらした気流が側辺の隙間に入って流出する空気の流動を形成し、又この空気流動は更に底座の下方から渦巻いて流れ出し、放熱鰭片の熱エネルギーを持ち去ることが出来る。
【００１５】
図８は、本発明の方法の概略説明図である。同図に示すように、３種類の異なる造型の照明放熱装置を同一の槽体に据え付けた状態であり、三角形底座４２の発光ダイオード照明装置４１の光線が屈折板４６を経由して、光線を屈折させて照明を行う。照明が進行するとき、三角形底座４２の下に据え付けられた放熱鰭片４３は、三角形底座４２の熱エネルギーを吸収して放熱し、更に外界の空気流動を利用することが出来る。この図では、室内のエアコンがもたらす冷風が側辺の隙間によって形成され流出する空気流動５を示す。この空気流動５は更に底座下方から渦巻いて流出し、放熱鰭片の熱エネルギーを持ち去ることが出来る。梯形底座４４の発光ダイオード照明装置４１の光線が屈折板４６を経由して、光線を屈折させて照明を行う。照明が進行するとき、梯形底座４４の下方に据え付けられた放熱鰭片４３は、梯形底座４２の熱エネルギーを吸収して放熱し、梯形底座４４の側辺に入った空気は、空気流動５の流動ステップの如くである。そのステップは上述の通りであり、本節では贅述しない。一方、底座４５の発光ダイオード照明装置４１の光線が屈折板４６を経由して、光線を屈折させて照明を行う。照明が進行するとき、底座４５の下方に据え付けられた放熱鰭片４３は、底座４５の熱エネルギーを吸収して放熱することが出来る。そのステップは上述と同じであり、本節では贅述しない。
【００１６】
図９は、本発明の反射式照明システムの実施例の斜視図である。同図に示すように、発光ダイオード照明装置９０には少なくとも発光ダイオードライトバー９２と、発光ダイオードライトバー９２を取り付けるためのランプ台座９４と、を含み、且つ前記ランプ台座９４には複数の放熱鰭片９８と、ランプ台座９４の相対角度の位置に据え付けられた反射カバー９６を含み、且つ反射カバー９６はロッド体９０に連接されている。前記ランプ台座９４は前述図面の座体によって代替することも出来る。
【００１７】
図１０は、本発明の反射式照明システムの実施例の側面概略図である。同図に示すように、発光ダイオード照明装置９０には少なくとも発光ダイオードライトバー９２と、発光ダイオードライトバー９２を取り付けるためのランプ台座９４と、を含み、且つ前記ランプ台座９４は複数の放熱鰭片９８と、ランプ台座９４の相対角度の位置に据え付けられた反射カバー９６を含み、且つ反射カバー９６はロッド体９１に連接され、又、反射カバー９６の内部表面にはメッキ膜９６２が施されている。
【００１８】
図１１は、本発明の反射式照明システムの実施例の概略説明図である。同図に示すように、発光ダイオード照明装置９０は少なくとも発光ダイオードライトバー９２と、発光ダイオードライトバー９２を取り付けるためのランプ台座９４と、を含み、且つ前記ランプ台座９４は複数の放熱鰭片９８と、ランプ台座９４の相対角度の位置に据え付けられた反射カバー９６を含み、且つ反射カバー９６はロッド体９１に連接され、又、反射カバー９６の内部表面にはメッキ膜９６２が施されている。
【００１９】
上述詳細な説明は本発明に対する実行可能な実施例の具体的説明であり、ただし前記実施例は本発明の特許請求の範囲を制限するものではなく、凡そ本発明の技芸精神を逸脱せずになされる等価実施或いは変更は、全て本発明の特許請求の範囲に含まれるものとする。
以上を総合すると、本発明は技術思想上確かに創造的であるのみならず、従来の物品に比べ、上述多項目の効能を増進でき、新規性及び進歩性の法定の特許要件に十分符合するものとして、ここに法に従って出願する次第である。
【符号の説明】
【００２０】
２      直下式LED光源照明構造
４      外殻
６      発光ダイオードライトバー
８      拡散導光板
１０    側面入射式LED光源照明構造
１２    外殻
１４    発光ダイオードライトバー
１６    導光板
１８    多数の発光源を有する照明器具
１９    対称的発光源を有する照明器具
４１    発光ダイオード照明装置
４２    三角形底座
４３    放熱鰭片
４４    梯形底座
４５    底座
４６    屈折板
４７    固定穴
９０    発光ダイオード照明装置
９１    ロッド体
９２    発光ダイオードライトバー
９４    ランプ台座
９６    反射カバー
９６２  メッキ膜
９８    放熱鰭片
Ｓ７１〜Ｓ７６  ステップ    
【図１】
2012129139.tif 000003
【図２】
2012129139.tif 000004
【図３】
2012129139.tif 000005
【図４】
2012129139.tif 000006
【図５】
2012129139.tif 000007
【図６】
2012129139.tif 000008
【図７】
2012129139.tif 000009
【図８】
2012129139.tif 000010
【図９】
2012129139.tif 000011
【図１０】
2012129139.tif 000012
【図１１】
2012129139.tif 000013